(57)【要約】【課題】雨水貯留タンクから延びるオーバーフロー用の排水ホースを竪樋および排水管に容易に接続可能であり、排水ホースの接続状態を良好に保持することができ、しかも排水ホースからスムーズに排水することができる排水ホース接続継手を提供すること。【解決手段】上下に開放された筒状の本体２の内部に上下方向に連通する排水部４が形成され、排水部には、上端部に竪樋接続部５が、下端部に排水管接続部９がそれぞれ配設され、本体の側部に排水ホース接続部３が接続され、排水ホース接続部は、上方に開放された有底筒状の形状を有し、内部が排水部に連通し、排水ホース接続部の本体側部への接続部１３の上端に、着脱自在な蓋１７が配設され、蓋の側部１８に押圧片１９が突設され、接続部付近に底面部から上方に延びるリブが立設されている。【選択図】図１
2010106467.tif 000002
【特許請求の範囲】
【請求項１】
竪樋より受水路を介して雨水を受水する雨水貯留タンクと、雨水貯留タンクからのオーバーフロー水を竪樋に排水する溢水路とを有する雨水利用システムにおいて、
上下に開放された筒状の本体の内部に上下方向に連通する排水部が形成され、
排水部の上端部に竪樋の一端部に接続可能な竪樋接続部が配設され、
排水部の下端部に排水管の一端部に接続可能な排水管接続部が配設され、
本体の側部に、雨水貯留タンクから延びるオーバーフロー用の排水ホースの一端部が接続可能な排水ホース接続部が接続され、排水ホース接続部は、上方に開放された有底筒状の形状を有し、排水ホース接続部の内部が前記排水部に連通している排水ホース接続継手であって、
排水ホース接続部の本体側部への接続部の上端に、着脱自在な蓋が配設され、蓋の側部には、排水ホース接続部の内側に向かって突出する押圧片が配設され、
前記接続部付近に、底面部から上方に延び、排水ホース接続部の内部に配置されたリブが立設されている
ことを特徴とする排水ホース接続継手。
【請求項２】
排水ホース接続部の底部に、本体の側部に向かって下方に傾斜する勾配部が形成されていることを特徴とする請求項１に記載の排水ホース接続継手。
【請求項３】
竪樋接続部は、竪樋の内挿が可能であり、竪樋接続部の下端に、前記排水部の内側に向かって突出する段状の竪樋ストッパー部が配設されていることを特徴とする請求項１または２に記載の排水ホース接続継手。
【発明の詳細な説明】
【技術分野】
【０００１】
本発明は、雨水貯留タンクからオーバーフローする雨水を、竪樋を流れる雨水とともに排水管へ排水するための排水ホース接続継手に関する。
【背景技術】
【０００２】
従来、雨樋から排水される雨水を、草花や庭木などへの散水や洗車などに利用することが行われている。このような雨水の利用は、節水を可能にし、環境の保護などへ貢献している。
【０００３】
雨水を取水する装置として、たとえば特許文献１に記載された雨水取水装置が知られている。
【０００４】
上記雨水取水装置では、竪樋の中間部に雨水を分流させる分水箱が装着され、この分水箱に取水用配管を介して雨水貯留水槽が接続されている。竪樋を通って屋根から流れてきた雨水は、その一部が、分水箱を介して分流し、取水用配管を通って雨水貯留水槽にためられる。残りの雨水は、分水箱を通った後、排水溝に直接排水される。
【０００５】
また、上記雨水取水装置では、雨水貯留水槽の上端部に越流管がその一端において接続されている。越流管の他端は排水溝に導くことができ、雨水貯留水槽が満杯になったとき、雨水貯留水槽から雨水をオーバーフローさせ、越流管を介して排水溝に排水させる。
【０００６】
越流管は、また、三又管を用いて竪樋に接続することができ、オーバーフローする雨水を竪樋に流出させた後に排水溝に排水することもできる。
【特許文献１】特開平８−８５９８２号公報
【発明の開示】
【発明が解決しようとする課題】
【０００７】
しかしながら、特許文献１は、越流管を三又管に接続する具体的な構造を何ら提案していない。越流管は三又管にしっかり保持されていないと、雨水貯留水槽からオーバーフローする雨水の流量や流れの勢いなどによって容易に抜け外れ、漏水が発生する。また、このような越流管の抜け外れは、雨水貯留水槽が屋外に配置されることから、外気温にともなう越流管および三又管の伸縮や風の巻き上げなどに起因して起こりやすい。
【０００８】
さらに、越流管が三又管の内底面に接触するまで挿入されると、排水路が閉塞され、オーバーフローする雨水が越流管から三又管へスムーズに排水されないことがある。このことによっても漏水が発生する。
【０００９】
本発明は、以上のとおりの事情に鑑みてなされたものであり、雨水貯留タンクから延びるオーバーフロー用の排水ホースを竪樋および排水管に容易に接続可能であり、排水ホースの接続状態を良好に保持することができ、しかも排水ホースからスムーズに排水することができる、雨水貯留タンクからオーバーフローする雨水を、竪樋を流れる雨水とともに排水する排水ホース接続継手を提供することを課題としている。
【課題を解決するための手段】
【００１０】
本発明は、上記の課題を解決するために、以下の特徴を有している。
【００１１】
第１の発明は、竪樋より受水路を介して雨水を受水する雨水貯留タンクと、雨水貯留タンクからのオーバーフロー水を竪樋に排水する溢水路とを有する雨水利用システムにおいて、上下に開放された筒状の本体の内部に上下方向に連通する排水部が形成され、排水部の上端部に竪樋の一端部に接続可能な竪樋接続部が配設され、排水部の下端部に排水管の一端部に接続可能な排水管接続部が配設され、本体の側部に、雨水貯留タンクから延びるオーバーフロー用の排水ホースの一端部が接続可能な排水ホース接続部が接続され、排水ホース接続部は、上方に開放された有底筒状の形状を有し、排水ホース接続部の内部が前記排水部に連通している排水ホース接続継手であって、排水ホース接続部の本体側部への接続部の上端に、着脱自在な蓋が配設され、蓋の側部には、排水ホース接続部の内側に向かって突出する押圧片が配設され、前記接続部付近に、底面部から上方に延び、排水ホース接続部の内部に配置されたリブが立設されていることを特徴としている。
【００１２】
第２の発明は、上記第１の発明の特徴において、排水ホース接続部の底部に、本体の側部に向かって下方に傾斜する勾配部が形成されていることを特徴としている。
【００１３】
第３の発明は、上記第１または第２の発明の特徴において、竪樋の内挿が可能であり、竪樋接続部の下端に、前記排水部の内側に向かって突出する段状の竪樋ストッパー部が配設されていることを特徴としている。
【発明の効果】
【００１４】
上記第１の発明によれば、雨水貯留タンクから延びる排水ホースの一端部を排水ホース接続部に接続することができ、雨水貯留タンクからオーバーフローする雨水を、竪樋を流れる雨水とともに排水することができる。排水ホース接続部の本体への接続部では、排水ホースの一端部を排水ホース接続部の内部に挿入した状態において、上端に蓋が取り付けられるので、蓋の側部に配設された押圧片が排水ホースを外側から食い込むように押圧する。このため、排水ホースの取り付けに際し、排水ホースと竪樋および排水管との接続は容易であり、また、排水ホースは抜けにくく、接続状態は良好に保持される。その上、リブによって排水ホースが、排水ホース接続部の底面部から離れた位置に取り付けられるので、排水路が確保され、排水ホースからのスムーズな排水が可能である。
【００１５】
上記第２の発明によれば、上記第１の発明の効果に加え、排水ホース接続部の底面部に形成された勾配部によって、排水ホースからの雨水を一層スムーズに本体内部の排水部に排水することができる。
【００１６】
上記第３の発明によれば、上記第１または第２の発明の効果に加え、竪樋接続部に接続される竪樋の一端は竪樋ストッパー部を超えて排水部の奥深くまで達することがなく、排水部において、排水ホースからの雨水の排水路が十分に確保される。
【発明を実施するための最良の形態】
【００１７】
図１は、本発明の排水ホース接続継手の一実施形態を示した斜視図である。図２は、図１に示した排水ホース接続継手を縦方向に切断した状態を示した斜視図である。
【００１８】
排水ホース接続継手１は、角筒状の本体２と、本体２の側部に接続された、略円筒状の排水ホース接続部３とを備えている。本体２は、上下に開放され、内部に、上下方向に連通する排水部４が形成されている。
【００１９】
排水部４の上端部には竪樋接続部５が配設されている。竪樋接続部５は、その内側に竪樋の一端部を挿入すること（内挿）が可能とされ、この内挿によって竪樋の一端部に接続可能とされている。竪樋接続部５の下端には、排水部４の内側に向かって突出する段状の竪樋ストッパー部６が配設されている。竪樋ストッパー部６は、竪樋接続部５に竪樋の一端部が挿入されて接続されるときに、竪樋の一端と接触することによって、竪樋が竪樋ストッパー部６を超えて排水部４の奥深くまで達するのを規制する。
【００２０】
このような竪樋接続部５は、角樋または丸樋のいずれの形状の竪樋に対しても接続可能となる開口寸法を有している。そして、丸樋への対応として、竪樋接続部５の上端である本体２の上端には、丸樋の外形に対応する形状および大きさの円孔７が形成された丸樋用プレート８が取り付けられる。丸樋用プレート８は、取り付けおよび取り外しが自在であり、竪樋が角樋である場合には取り付けられない。このように、角樋はもちろんのこと、丸樋に対しても、竪樋接続部５は接続可能であり、接続状態において竪樋との間に大きな隙間は生じず、ごみなどが排水部４に入り込むのが十分に抑制される。
【００２１】
排水部４の下端部には、排水管接続部９が配設されている。排水管接続部９は、円筒状とされ、排水部４の下端部から下方に延設されている。このような排水管接続部９は、排水管の一端部の内側への挿入が可能とされて排水管の一端部に接続可能とされている。排水管接続部９の上端部において本体２にはスカート部１０が配設されている。スカート部１０は、本体２の外側に広がる円盤状のフランジ部１１と、フランジ部１１の外周から下方に延設された周辺部１２とから形成されている。周辺部１２の下端は、排水管接続部９の下端よりも上側に配置されている。
【００２２】
排水ホース接続部３は、中空な接続部１３を介して本体２の側部に接続されている。図３に示したように、排水ホース接続部３は、本体２側の側面部が縦方向に切り欠かれた略円筒状の形状を有している。切欠部１４において排水ホース接続部３の内部１５は、中空な接続部１３を介して排水部４に連通している。接続部１３は、本体２の側端から排水ホース接続部３の外周に接するように延び、本体２の外方に向かって先細となる形状を有している。接続部１３の上端には、排水ホース接続部３とによって、オーバーフロー用の排水ホースの外形に対応した円孔１６が形成されるように、略半円状に切り欠かれた蓋１７が取り付けられる。蓋１７は、取り付けと取り外しが自在であり、蓋１７の取り付けは、排水ホースの一端部を排水ホース接続部３に接続した後に行われる。
【００２３】
このように、排水ホース接続部３は、上方に開放され、内部１５にオーバーフロー用の排水ホースの一端部が挿入によって接続可能とされている。
【００２４】
また、蓋１７には、円孔１６を形成する略半円状に切り欠かれた側部１８に、弧状の押圧片１９が部分的に突設されている。押圧片１９は、排水ホース接続部３の内側に向かって突出し、排水ホースの一端部が排水ホース接続部３の内部１５に挿入された状態において、排水ホースを外側から食い込むように押圧可能である。押圧片１９は、蓋１７において略半円状に切り欠かれた側部１８の内周全域に沿って配設することもできる。また、部分的な弧状のものの複数を一定の間隔を開けて側部１８に配設することもできる。このように、押圧片１９の配設形態は、排水ホースを外側から押圧することが可能であれば特に限定されない。
【００２５】
そして、排水ホース接続部３は、底面部２０を有する有底筒状の形状を有している。底面部２０は、接続部１３の底面部２１とともに、本体２の側部に向かって下方に傾斜する勾配部２２を形成している。
【００２６】
なお、排水ホース接続部３は、排水ホース接続継手１において縦方向に延びているが、本発明の排水ホース接続継手では、排水ホースの上方からの挿入が可能であれば、排水ホース接続部は、斜めに傾斜させて本体に接続することができる。
【００２７】
そして、排水ホース接続継手１では、接続部１３の付近において、底面部２１および排水ホース接続部３の底面部２０にリブ２３が立設されている。リブ２３は、円孔１６に対応した弧状形状を有し、底面部２１、２０から上方に延び、排水ホース接続部３の内部１５に配置されている。リブ２３は、底面部２０、２１付近における排水ホース接続部３と排水部４との連通を阻害しない程度に配設されている。すなわち、押圧片１９の配設形態と異なり、円孔１６の略半分となる略半円状のものはリブ２３には採用されない。略半円よりも小さな弧状のものが部分的に底面部２０、２１に立設される。複数のものが配設される場合には、相互に一定の間隔を開けて配置され、底面部２０、２１付近における排水ホース接続部３と排水部４との連通を妨げない。
【００２８】
このようなリブ２３には、その上面から上方に排水ホースの保持片２４が立設され、保持片２４もまた、排水ホース接続部３の内部１５に配置されている。保持片２４は、排水ホースの接続に際して排水ホースの内側に挿入され、排水ホースの一端部の接続位置の位置決めおよび保持を行う。保持片２４も、リブ２３と同様に弧状形状を有しているが、排水ホースの内側への挿入が可能な程度に長さを短くすることができる場合には、平らなものとすることもできる。また、保持片２４は、リブ２３の長さ方向の全域にわたって配設することができる他、リブ２３に対して部分的に配設することもでき、複数のものが一つのリブ２３に配設される場合には、一定の間隔を開けて配置することができる。
【００２９】
このような排水ホース接続継手１は、丸樋用プレート８および蓋１７を含め、合成樹脂などの成形品として作製することができる。
【００３０】
図３、図４は、それぞれ、図１、２に示した排水ホース接続継手の設置状態を示した斜視図、縦断面図である。
【００３１】
排水ホース接続継手１は、地表付近に配置され、地中に埋設された排水管２５の上端部を一端部として、排水管２５の上端部の内側に挿入されて排水管接続部９が接続されている。竪樋２６は、丸樋であり、本体２の上端に丸樋用プレート８が取り付けられ、丸樋用プレート８に形成された円孔７を通じて竪樋２６の一端部である下端部が、竪樋接続部５に内挿されている。そして、竪樋２６の下端は、段状の竪樋ストッパー部６に接触し、竪樋接続部５に接続されている。
【００３２】
雨水貯留タンクから延びるオーバーフロー用の排水ホース２７には蛇腹管が用いられ、排水ホース２７が、排水ホース接続部３の上方から内部１５に挿入されている。排水ホース接続部３の内部１５に挿入された排水ホース２７の一端部である下端部は、本体２側に位置する部分において下端がリブ２３の上面に接触している。保持片２４は、排水ホース２７の内側に挿入され、排水ホース２７の下端部の接続位置を位置決めし、その位置に排水ホース２７の下端部を保持する。
【００３３】
このような排水ホース２７の下端部の接続位置が決まり、その位置に排水ホース２７の下端部が保持されている状態において、接続部１３の上端に蓋１７が取り付けられる。蓋１７の取り付けによって、側部１８に突設された押圧片１９は、排水ホース２７を外側から食い込むように押圧する。この押圧片１９による押圧によって排水ホース２７は、ほぼ固定された状態になり、排水ホース２７の排水ホース接続部３への接続が完了する。
【００３４】
竪樋２６を通って流下する雨水は、竪樋接続部５から排水ホース接続継手１の本体２の排水部４に流れ込む。そして、排水部４を流下し、排水管接続部９を通じて排水管２５に排水される。雨水貯留タンクからオーバーフローする雨水は、排水ホース２７から排水ホース接続部３の内部１５に流れ込み、接続部１３の内部を通じて本体２の排水部４に流れ出る。そして、排水部４を流下し、排水管接続部９を通じて排水管２５に排水される。このように、排水ホース接続継手１は、竪樋２６を流れる雨水および雨水貯留タンクからオーバーフローする雨水をともに排水管２５に向けて排水することができる。
【００３５】
たとえば図５に示したように、排水ホース接続継手１は、雨水利用システム２８に組み込まれ、ブロック２９の上に載せて屋外に設置される雨水貯留タンク３０の上端部から延びる排水ホース２７の一端部が排水ホース接続部３に接続される。雨水貯留タンク３０からオーバーフローする雨水は、排水ホース２７および排水ホース接続継手１を介して竪樋２６に連通する排水管２５に排水される。竪樋２６には、その排水路の途中に雨水取り出し装置３１が接続され、フィルターなどを内蔵して備える雨水取り出し部３２に、ホース３３を介して雨水貯留タンク３０が接続されている。竪樋２６を流れる雨水は、その一部が、雨水取り出し装置３１の雨水取り出し部３２から取り出され、雨水貯留タンク３０に一定量貯留される。貯留された雨水は、雨水貯留タンク３０の底部付近に備えるコック３４を開けることにより取り出すことができ、散水、洗車などに利用される。このように、雨水利用システム２８は、竪樋２６より受水路としてのホース３３を介して雨水を受水する雨水貯留タンク３０と、雨水貯留タンク３０からのオーバーフロー水を竪樋２６に排水する溢水路としての排水ホース２７とを有して構成されている。
【００３６】
なお、排水ホース２７は、蛇腹管を例示しているが、本発明の排水ホース接続継手には、適度に屈曲性を有するホースであれば、排水ホースとして排水ホース接続部に接続可能である。
【００３７】
排水ホース接続継手１では、上記のとおり、雨水貯留タンク３０から延びる排水ホース２７の一端部を排水ホース接続部３に接続することができ、雨水貯留タンク３０からオーバーフローする雨水を、竪樋２６を流れる雨水とともに排水することができる。排水ホース接続部３の本体２への接続部１３では、排水ホース２７の一端部を排水ホース接続部３の内部１５に挿入した状態において、上端に蓋１７が取り付けられるので、蓋１７の側部に配設された押圧片１９が排水ホース２７を外側から食い込むように押圧する。このため、排水ホース２７の取り付けに際し、排水ホース２７と竪樋２６および排水管２５との接続は容易であり、また、排水ホース２７は抜けにくく、接続状態は良好に保持される。排水ホース２７が抜けにくいのは、排水ホース接続部３が上下方向に延びていることが寄与してもいる。排水ホース２７の取り付け方向が重力方向に一致または略一致しているからである。その上、リブ２３によって排水ホース２７が、排水ホース接続部３の底面部２０から離れた位置に取り付けられるので、排水路が確保され、排水ホース２７からのスムーズな排水が可能である。
【００３８】
また、排水ホース接続継手１では、排水ホース接続部３の底面部２０に形成された勾配部２２によって、排水ホース２７からの雨水を一層スムーズに本体２の内部の排水部４に排水することができる。
【００３９】
さらに、排水ホース接続継手１では、竪樋接続部５に接続される竪樋２６の一端は竪樋ストッパー部６を超えて排水部４の奥深くまで達することがなく、排水部４において、排水ホース２７からの雨水の排水路が十分に確保される。
【図面の簡単な説明】
【００４０】
【図１】本発明の排水ホース接続継手の一実施形態を示した斜視図である。
【図２】図１に示した排水ホース接続継手を縦方向に切断した状態を示した斜視図である。
【図３】図１、２に示した排水ホース接続継手の設置状態を示した斜視図である。
【図４】図１、２に示した排水ホース接続継手の設置状態を示した縦断面図である。
【図５】図１、２に示した排水ホース接続継手を含む、雨水利用システムを示した斜視図である。
【符号の説明】
【００４１】
１  排水ホース接続継手
２  本体
３  排水ホース接続部
４  排水部
５  竪樋接続部
６  竪樋ストッパー部
９  排水管接続部
１３  接続部
１７  蓋
１８  側部
１９  押圧片
２０  底面部
２１  底面部
２２  勾配部
２３  リブ
２５  排水管
２６  竪樋
２７  排水ホース
３０  雨水貯留タンク
【図１】
2010106467.tif 000003
【図２】
2010106467.tif 000004
【図３】
2010106467.tif 000005
【図４】
2010106467.tif 000006
【図５】
2010106467.tif 000007